(57)【要約】【課題】複数の表示手段を用いた表示装置において、簡単な構成で非表示領域を低減することができる表示装置を提供する。【解決手段】表示部１１２を備えた表示パネル１１と、表示部１２２と当該表示部１２２の外周に位置する非表示部１２３とを備えた表示パネル１２とを有し、表示パネル１１の表示部１１２の表示面の一部は、表示パネル１２の非表示部１２３と対向し、表示パネル１２の非表示部１２３のうち、表示部１１２の表示面と対向する部分に、表示部１１２からの光を透過する透過部１２４とを備える。【選択図】図３
2006010811.tif 000002
【特許請求の範囲】
【請求項１】
第１の表示部を備えた第１の表示手段と、
第２の表示部と当該第２の表示部の外周に位置する非表示部とを備えた第２の表示手段と
を有し、
前記第１の表示手段の前記第１の表示部の表示面の一部は、前記第２の表示手段の前記非表示部と対向し、
前記第２の表示手段の前記非表示部のうち、前記第１の表示部の前記表示面と対向する部分に、前記第１の表示部からの光を透過する透過部を備える
表示装置。
【請求項２】
前記透過部の透過率に基づいて、前記第１の表示部または第２の表示部に出力する映像信号の補正処理を行う制御手段を有し、
前記第１または第２の表示部は、当該制御手段により補正処理が施された映像信号に応じた表示を行う
請求項１に記載の表示装置。
【請求項３】
前記制御手段は、前記第１または第２の表示部が形成された基板の透過率に基づいて、前記第１または第２の表示部に出力する映像信号の補正処理を行う
請求項２に記載の表示装置。
【請求項４】
前記制御手段は、前記透過部を介した前記第１の表示部からの光の輝度と、前記第１の表示部からの光の輝度、または前記第２の表示部からの光の輝度が略一定となるように表示処理を行う
請求項２に記載の表示装置。
【請求項５】
前記第１および第２の表示手段の重なりを検出する検出手段とを有し、
前記制御手段は、前記検出手段による検出結果に基づいて前記第１または第２の表示部の表示処理を行う
請求項２に記載の表示装置。
【請求項６】
前記制御手段は、前記第１の表示手段の第１の表示部の表示面のうち、前記第２の表示部と対向する領域の画像表示を抑止する
請求項２に記載の表示装置。
【請求項７】
前記非表示部のうち前記透過部以外に、前記第２の表示部の表示に係る回路が形成されている
請求項１に記載の表示装置。
【請求項８】
少なくとも前記第１の表示部と前記透過部との間に反射防止手段を有する
請求項１に記載の表示装置。
【請求項９】
前記第２の表示手段は、基板の第１の表示手段と対向する面に前記第２の表示部が形成されている
請求項１に記載の表示装置。
【請求項１０】
前記第１の表示手段は、基板の第２の表示手段と対向する面に前記第１の表示部が形成されている
請求項１に記載の表示装置。
【請求項１１】
前記第１および第２の表示手段の重なる領域の大きさを変化させる可動手段を備える
請求項１に記載の表示装置。
【請求項１２】
前記可動手段は、前記第１および第２の表示手段を相対的に移動可能に保持する移動保持部を含む
請求項１１に記載の表示装置。
【請求項１３】
前記可動手段は、
前記第１および第２の表示手段を回動自在に支持する回転支持部を含み、
当該回転支持部を軸として前記第１および第２の表示手段を折り畳み可能である
請求項１１に記載の表示装置。
【請求項１４】
前記可動手段は、
前記第１および第２の表示手段に設けられた一つもしくは複数の支持部と、
前記第１の表示手段に設けられた支持部および前記第２の表示手段に設けられた支持部とを保持する保持部と
を有する請求項１１に記載の表示装置。
【請求項１５】
前記透過部は、光を透過するガラス、プラスチック、またはフィルムにより形成されている
請求項１に記載の表示装置。
【請求項１６】
前記第１または第２の表示手段は、アクティブ駆動型またはパッシブ駆動型表示装置である
請求項１に記載の表示装置。
【請求項１７】
前記第１または第２の表示手段は、液晶表示装置または有機エレクトロルミネッセンス表示装置である
請求項１に記載の表示装置。
【請求項１８】
前記第１または第２の表示手段は、透過型、反射透過型、または半透過型液晶表示装置である
請求項１に記載の表示装置。
【発明の詳細な説明】
【技術分野】
【０００１】
本発明は、例えば表示パネル等の複数の表示手段を組み合わせて構成される表示装置に関するものである。
【背景技術】
【０００２】
近年、液晶ディスプレイや有機ＥＬ（エレクトロルミネッセンス）ディスプレイ、さらにはペーパーライクディスプレイいわゆる電子ペーパーと呼ばれるフラットディスプレイの研究開発が盛んに行われている。
【０００３】
特に液晶ディスプレイは既に様々な用途で幅広く実用化されている。
例えば屋内ではＣＲＴ（Cathode Ray Tube）に替わるテレビとしてのディスプレイとして普及しつつある。屋外においても、ノートＰＣ（パーソナルコンピュータ）、ＰＤＡ（Personal Digital Assistant）、携帯電話、ビデオカメラ、デジタルカメラ、電子辞書等モバイル機器で幅広く使用されている。
さらに、有機ＥＬディスプレイは一部のモバイル機器で既に実用化されており、電子ペーパーにおいても、電子書籍として実用化の目処がついている。
【０００４】
これらのディスプレイはフラットであるというメリットを生かして、モバイル機器への用途には欠かせないものとなっている。
一方、近年の記録メディアの大容量化、信号処理プロセッサの高速化や、インターネット、電話、放送等の通信の高速化等による技術の発展により大量の情報の送受信が可能となり、出力ヒューマンインターフェースとしてのディスプレイは、一度に多くの情報を閲覧できるように、高解像度や大型化が望まれている。
【０００５】
しかしながら、モバイル機器のディスプレイとして大型化を追求した場合、機器そのものが大型化してしまうことから、機器の小型化とディスプレイの大型化を両立させるためには、ディスプレイをコンパクトに収納できることが必要となる。例えば、折り畳むことによってコンパクト化を図る方法がある。
しかし、表示エリアの縁部が、折り畳みの境界部分に位置するため、この部分の情報が失われる。これに対して境界部分の非表示領域を低減させる表示装置が知られている（例えば、特許文献１参照）。
【特許文献１】特開２００２−２２９４８５号公報
【発明の開示】
【発明が解決しようとする課題】
【０００６】
しかしながら、上述した表示装置では、光ファイバー等の導光部が必要となり、折り畳み状態で、導光部の厚みの分だけ体積が大きくなり重くなる。また、この導光部を形成するという煩雑な工程が必要である。
【０００７】
本発明は、かかる事情に鑑みてなされたものであり、その目的は、複数の表示手段を用いた表示装置において、簡単な構成で非表示領域を低減することができる表示装置を提供することにある。
【課題を解決するための手段】
【０００８】
前記目的を達成するために、本発明の表示装置は、第１の表示部を備えた第１の表示手段と、第２の表示部と当該第２の表示部の外周に位置する非表示部とを備えた第２の表示手段とを有し、前記第１の表示手段の前記第１の表示部の表示面の一部は、前記第２の表示手段の前記非表示部と対向し、前記第２の表示手段の前記非表示部のうち、前記第１の表示部の前記表示面と対向する部分に、前記第１の表示部からの光を透過する透過部を備える。
【０００９】
本発明の表示装置では、第１の表示部からの光は、前記第２の表示手段の前記非表示部のうち、第１の表示部の前記表示面と対向する部分に形成された透過部を介して透過する。
【発明の効果】
【００１０】
本発明の表示装置によれば、複数の表示手段を用いた表示装置において、簡単な構成で非表示領域を低減することができる表示装置を提供することができる。
【発明を実施するための最良の形態】
【００１１】
図１は、複数のパネルを有する一般的な表示装置の正面図である。図１に示すように、一般的な表示装置１ｚでは、パネルＡとパネルＢの２つのパネルが並べて配置され、パネルＡ，Ｂの境界部分付近で額縁部分が非表示エリアとなり、このエリアで映像情報が失われてしまう。
【００１２】
本発明に係る表示装置は、例えば、第１の表示部を備えた第１の表示手段と、第２の表示部と当該第２の表示部の外周に位置する非表示部とを備えた第２の表示手段とを有し、第１の表示手段の第１の表示部の表示面の一部は、第２の表示手段の非表示部と対向し、第２の表示手段の非表示部のうち、第１の表示部の表示面と対向する部分に、第１の表示部からの光を透過する透過部を設ける。
つまり、複数のパネルで構成される表示装置において、パネルの額縁部分を重ね合わせることによって、境界部の非表示エリアを低減させる。
【００１３】
以下、本発明に係る表示装置の一実施形態を図面を参照しながら説明する。
〔第１実施形態〕
図２は、本発明の第１実施形態に係る表示装置の正面図である。図３は、図２に示した表示装置の断面図である。
本実施形態に係る表示装置１は、例えば図２，３に示すように、表示盤（表示パネル）１１、および表示盤（表示パネル）１２を有する。
【００１４】
表示パネル１１は本発明に係る第１の表示手段の一例に相当し、表示パネル１１は本発明に係る第２の表示手段の一例に相当する。
【００１５】
表示パネル１１は、例えば図２，３に示すように、基板１１１、表示部１１２、および非表示部１１３を有する。
本実施形態では、表示パネル１１において、基板１１１の上面側、つまり表示パネル１２と対向する面側、中央部に表示部１１２が形成されている。
非表示部１１３は、表示部１１２の外周部に形成されている。
【００１６】
表示パネル１２は、表示パネル１１の表示面側に位置する。つまり表示パネル１２は、表示パネル１１の表示面側に重ね合うように保持される。
【００１７】
表示パネル１２は、例えば図２，３に示すように、基板１２１、表示部１２２、非表示部１２３、および透過部１２４を有する。
基板１２１は、例えば光を透過する部材、詳細にはガラスや、プラスチック、フィルム等の部材により構成されることが好ましい。
【００１８】
本実施形態では、表示パネル１２において、図２，３に示すように、基板１２１の上側、つまり表示パネル１１と対向する面の他方の面側、中央部に表示部１２２が形成されている。
上述した表示部１１２や表示部１２２は、例えば液晶表示装置や、有機エレクトロルミネッセンス（ＥＬ）表示装置等の表示装置により構成される。
また、表示部１１２や表示部１２２は、液晶表示装置を採用した場合、透過型、反射透過型、または半透過型液晶表示装置であってもよい。この際、表示部１１２や表示部１２２は、アクティブ駆動型またはパッシブ駆動型表示装置等の所望の駆動方式により表示する表示装置でもよい。
【００１９】
非表示部１２３は、例えば表示部１２２の外周部（周辺部）に形成されている。
透過部１２４は、表示パネル１２の非表示部１２３のうち、表示パネル１１の表示部１１２の表示面と対向する部分に形成され、表示部１１２からの光を透過する。
【００２０】
詳細には、透過部１２４は、表示パネル１１と表示パネル１２とが重なり状態において、表示パネル１１の表示部１１２の重なった領域からの光を、表示装置１と対向する面から、他方の対向する面の方向に透過する。
【００２１】
この透過部１２４は、例えば光を透過する部材、詳細にはガラスや、プラスチック、フィルム等の部材により構成されることが好ましい。また、透過部１２４の透過率は高いほど好ましく、例えば５０％〜１００％程度であることが好ましい。
また、透過部１２４は、基板１２１と一体形成されていてもよいし、別に基板１２１に隣接して形成してもよい。透過部１２４と基板１２１とを一体形成した場合には、より簡単な構成となり好ましい。
【００２２】
また、非表示部１２３のうち透過部１２４以外に、表示部１２２の表示に係る回路が形成されている。
例えば透過部１２４には、基板の配線やアイランドパターンが形成されていない。
こうすることにより表示部１１２からの光が配線やアイランドパターンに邪魔されることなく出射することで、透過部１２４の表面に高画質の画像を表示することができる。
【００２３】
また、表示パネル１１と表示パネル１２は、例えば図２，３に示すように水平方向に並べて配置する。
詳細には、表示パネル１１と表示パネル１２の境界部分ＢＤ付近では、表示部１１２の端部１１２Ｌと表示部１２２の端部１２２Ｌ、例えば図２，３に示すように、表示面側の正面ｈから視認した場合に重なるように配置することが好ましい。こうすることにより、境界部分ＢＤの非表示エリアを低減、さらには非表示エリアをなくすことができる。
【００２４】
以上の構成により、例えば表示パネル１１の表示部１１２の表示面の一部分１１２ａは、表示パネル１２の非表示部１２３と対向する。
表示パネル１１の表示部１１２の表示面の一部分１１２ａから出射される光は、表示パネル１２の非表示部１２３と重ね合った透過部１２４を介して表示面側に出射する。
【００２５】
詳細には、透過部１２４において、表示パネル１１と対向する面から他方の対抗する面の方向に、表示パネル１１の表示部１１２の表示面の一部分１１２ａからの光が出射する。
【００２６】
さらに、表示面側の正面ｈから視認した場合に、表示パネル１１と表示パネル１２の境界部分ＢＤ付近では、表示部１１２の端部１１２Ｌと表示部１２２の端部１２２Ｌが重なるように配置しているので、表示パネル１１の表示部１１２の表示面と、表示パネル１２の表示部１２２の表示面と、透過部１２４による表示面とにより連続した大きな表示画面となる。
【００２７】
以上、説明したように、複数の表示パネル１１，１２を用いた表示装置において、簡単な構成で非表示エリアを低減することができる。
【００２８】
また、例えば表示部１１２や表示部１２２の表面に偏光フィルム等の導光部を設けることがないので、表示パネルの厚みを低減することができる。
【００２９】
〔第２実施形態〕
本発明の第２実施形態に係る表示装置１ａは、第１実施形態と略同様の構成であり、相違点は透過部１２４による光の透過率分の輝度低下を補正する点である。以下、一具体例を図面を参照しながら説明する。
【００３０】
図４は、本発明の第２実施形態に係る表示装置の電気的な機能ブロック図である。
本実施形態に係る表示装置１ａは、例えば図４に示すように、表示パネル１１，１２、電源回路１５、記憶部（メモリ）１６、位置検出センサ１７、および映像信号処理部（制御部）１８を有する。
位置検出センサ１７は本発明に係る検出手段の一例に相当し、映像信号処理部１８は本発明に係る制御手段の一例に相当する。
【００３１】
表示パネル１１，１２は、上述した実施形態と同じ構成なので説明を省略する。
電源回路１５は、例えばバッテリから供給される電流や電圧を、表示パネル１１や表示パネル１２に、所定の電圧や電流に変換して供給する。
【００３２】
メモリ１６は、例えばＲＡＭ（Random Access Memory）やＲＯＭ（Read Only Memory）等の記憶装置である。
メモリ１６は、例えば、本発明に係る機能を有するプログラムＰＲＧや設定情報ＤＴ等を記憶する。
設定情報ＤＴは、例えば透過部１２４の透過率や、基板１１１、基板１２１等の透過率などの表示パネル１１や表示パネル１２に関する情報である。
プログラムＰＲＧや設定情報ＤＴは、例えば不図示のユーザにより操作される入力部からの信号に応じて変更や設定が可能である。
【００３３】
位置検出センサ１７は、例えば表示パネル１１と表示パネル１２の重なりを検出し、検出結果を示す信号Ｓ１７を出力する。
位置検出センサ１７は、例えばポテンショメータや光センサ等の検出素子により構成され、検出結果を示す信号Ｓ１７を電源回路１５や映像信号処理部１８に出力する。
【００３４】
映像信号処理部１８は、例えばメモリ１６に記憶されているプログラムＰＲＧや設定情報ＤＴに基づいて、表示パネル１１や表示パネル１２に映像信号を出力する。
【００３５】
例えば映像信号処理部１８は、透過部の透過率を示す設定情報ＤＴに基づいて、表示パネル１１や表示パネル１２に出力する映像信号の表示処理や補正処理等を行う。
【００３６】
本実施形態では、映像信号処理部１８は、入力された映像信号に、透過部の透過率を示す設定情報ＤＴに基づいて、表示パネル１１の表示面の一部１１２ａから透過部１２４を介して出射する光の輝度と、透過部１２４を介さずに出射する表示部１１２からの光の輝度、または表示部１２２の表示面からの光の輝度が略一定となるように表示処理を行う。
【００３７】
以上の構成によれは、映像信号処理部１８は、透過部１２４の透過率に基づいて、表示部１１２または表示部１２２に出力する映像信号の補正処理を行い、表示部１１２および表示部１２２は、映像信号処理部１８により補正処理が施された映像信号に応じた表示を行うので、透過部１２４による透過率分の輝度の低下が補正される。また、表示部１１２、透過部１２４、および表示部１２２により構成された表示画面は略一定の輝度となる。
【００３８】
〔第３実施形態〕
本発明の第３実施形態に係る表示装置１ｂは、検出手段による検出結果に基づいて、表示パネル１１や表示パネル１２の表示部の表示処理を行う。
その他の構成は上述した実施形態と略同様であるので説明を省略し、相違点のみ説明する。
【００３９】
例えば映像信号処理部１８は、位置検出センサ１７による検出結果に基づいて表示パネル１１や表示パネル１２の表示部１１２，１２２の表示処理を行う。
具体的には、映像信号処理部１８は、位置検出センサ１７による検出結果に基づいて、表示エリアの大きさやアスペクト比に適合した画像を表示部１１２や表示部１２２に表示させる。
【００４０】
図５は、本発明の第３実施形態に係る表示装置を小型化（コンパクト化）した状態の断面図である。図６（Ａ）は、図５に示した表示装置の小型化した状態の正面図、図６（Ｂ）は、図３に示したように展開時の表示装置の正面図である。
【００４１】
本実施形態の表示装置１ｂは、展開時に表示パネル１１および表示パネル１２を、例えば図２，３、６（Ｂ）に示すような状態に設定し、コンパクト化時には、図５，６（Ａ）に示すように、重ね合わせることにより小型化状態に設定することができる。
【００４２】
映像信号処理部１８は、例えば図５〜６に示すように、位置検出センサ１７による検出結果に基づいて、表示部１１２および表示部１２２の表示エリアの大きさやアスペクト比に適した画像の大きさやアスペクト比となるように表示処理を行う。
また、映像信号処理部１８は、例えば同じ映像信号に対して、図６（Ａ）に示すように、表示パネル１２に表示させる画像を９０度回転させて、さらにアスペクト比をそれぞれの状態に合うように調節して表示処理を行う。
【００４３】
図７（Ａ）は、図６（Ａ），（Ｂ）に示した表示装置の展開中の状態を示す図である。図７（Ｂ）は、図６（Ｂ）に示した展開時の表示装置の正面図である。
例えば図７（Ａ）は、アスペクト比が４対３であり、図７（Ｂ）は、例えばアスペクト比が１６対９のワイド表示である。
映像信号処理部１８は、入力された映像信号に、上述したように位置検出センサ１７による検出結果に基づいて、表示パネル１１と表示パネル１２によるアスペクト比に応じた表示画面となるように表示処理を行う。
【００４４】
この際、例えば映像信号処理部１８は、表示パネル１１の表示部１１２の表示面のうち、表示部１２２と対向する領域ＡＲ１１２の画像表示を抑止する。つまり、表示部１１２の表示画面のうち、表示部１２２と重なる部分の画像表示を抑止（非表示）する。
【００４５】
図８は、本発明の第３実施形態に係る表示装置の動作の一具体例を説明するためのフローチャートである。図８を参照しながら、表示装置の動作を、映像信号処理部１８の動作を中心に説明する。
【００４６】
ステップＳＴ１において、映像信号処理部１８は、位置検出センサ１７から出力された、可動する２つの表示パネル１１，１２の重なりを示す検出信号Ｓ１７に基づいて、コンパクト化されているか否かを判別する。
【００４７】
ステップＳＴ１の判別において、コンパクト化されていると判別した場合には、つまり表示パネル１１と表示パネル１２が重なり合い最小の表示画面状態である場合には、映像信号処理部１８は、表示パネル１１の表示部１１２を非点灯とする（ＳＴ２）。
詳細には、例えば映像信号処理部１８は、表示パネル１１の表示部１１２に出力する映像信号を抑止する。また、電源回路１５は、位置検出センサ１７からの検出信号Ｓ１７に基づいて表示パネル１１の表示部１１２に供給する電圧を抑止して、表示部１１２を非点灯とする。
【００４８】
また、映像信号処理部１８は、映像信号に９０度回転表示処理を施して、表示パネル１２の表示部１２２に、９０度回転した画像を表示させる。
【００４９】
一方、ステップＳＴ１において、コンパクト化されていないと判別した場合には、表示パネル１１と表示パネル１２の重なり状態に応じた表示処理を行う。
詳細には、ステップＳＴ３において、例えば映像信号処理部１８は、位置検出センサ１７からの検出信号に基づいて、表示部１１２、透過部１２４、および表示部１２２により構成される表示画面が所定のアスペクト比、例えば４：３であるか否かを判別し、アスペクト比が４：３であと判別した場合は、そのアスペクト比に適した表示処理を施して、表示部１１２および表示部１２２に例えば図７（Ａ）に示すような表示を行わせる（ＳＴ４）。
この際、映像信号処理部１８は、上述したように、表示パネル１１の表示部１１２の表示面のうち、表示部１２２と対向する領域ＡＲ１１２の画像表示を抑止する。
【００５０】
一方、ステップＳＴ３において、表示部１１２、透過部１２４、および表示部１２２により構成される表示画面のアスペクト比が４：３ではなく、より重なり領域が小さい状態、例えば図７（Ｂ）に示すようにワイド状態の場合には、映像信号処理部１８はワイド表示を行う（ＳＴ５）。
【００５１】
以上、説明したように本実施形態では、映像信号処理部１８は、表示部１１２と表示部１２２の重なりを検出する位置検出センサ１７からの検出結果を示す信号に基づいて、表示部１１２と表示部１２２の表示処理、詳細には表示部１１２、透過部１２４、および表示部１２２により構成される表示画面の大きさやアスペクト比に応じた表示処理を行うので、表示パネルの重なりに応じた表示を行うことができる。
【００５２】
〔第４実施形態〕
図９は、本発明の第４実施形態に係る表示装置を示す正面図である。
例えば図２に示した第１実施形態では図に向かって縦方向に表示パネル１１，１２を配置したが、本実施形態に係る表示装置１ｃは、図に向かって横方向に表示パネル１１，１２を配置することによって１つの大きな表示画面を構成する点である。
また、第１実施形態と同様に表示パネル１１と表示パネル１２は可動して重なる領域の大きさを可変することができる。その他は同様なので説明を省略する。
こうすることにより折り畳み時（コンパクト化時）には、第１実施形態と比べて長手方向に長くなり、アスペクト比が大きくなる。
【００５３】
〔第５実施形態〕
図１０は、本発明の第５実施形態に係る表示装置を示す正面図である。
本実施形態に係る表示装置１ｄは、複数の表示パネル、例えば３つの表示パネル１１〜１３が、図に向かって水平方向に並べて配置されることによって、１つの大きな表示画面を構成する。
【００５４】
詳細には、第５実施形態と第１実施形態との相違点は、第５実施形態は表示パネル１３をさらに設けた点である。
表示パネル１３は、基板１３１、表示部１３２、非表示部１３３、および透過部１３４を有する。
各構成要素それぞれは、表示パネル１２と略同様な構成であるので説明を省略する。
また、表示パネル１１〜１３それぞれは、第１実施形態と同様に可動して重なる領域の大きさを可変することができる。
【００５５】
上述したように表示装置を複数の表示パネルにより構成してもよい。こうすることによりコンパクト化時には、より表示画面が小さく、展開時にはより大きな表示画面となる。
【００５６】
〔第６実施形態〕
図１１は、本発明の第６実施形態に係る表示装置の断面図である。
本実施形態に係る表示装置１ｅは、反射防止部１９を有する。その他の構成は、第１実施形態と略同様であるので、説明を省略する。
反射防止部１９は、本発明に係る反射防止手段の一例である。
【００５７】
例えば表示部１１２と透過部１２４との間に隙間等があると、その隙間の空気等による屈折率の変化により、その境界部で外光や表示部１１２からの光の乱反射等が生じて、透過部１２４を介した表示部１１２の画像の画質が低下する場合がある。
【００５８】
このため、本実施形態に係る表示装置１ｅは、少なくとも表示部１１２と透過部１２４との間に反射防止部１９を設ける。
反射防止部１９は、例えば図１１に示すように、境界付近の重なり部分の外光反射を軽減するために、表示部１１２と透過部１２４との間、好ましくは表示パネル１１と表示パネル１２との重なり領域に形成する。
反射防止部１９は、例えば図１１に示すように光を透過する透明シリコンゴムや反射防止フィルム等の光を透過する反射防止部材により構成される。
【００５９】
また、反射防止部１９は、例えば表示部１１２と透過部１２４との間の領域、好ましくは表示パネル１１と表示パネル１２との重なり領域に、表示パネル１１または表示パネル１２のどちらか一方に反射防止処理を施してもよい。
【００６０】
上述したように表示部１１２と透過部１２４との間に反射防止部１９を設けることにより、外光や表示部１１２からの光の乱反射等を軽減することができ、透過部１２４を介した表示部１１２の画像の画質が低下することがない。
また、映像信号処理部１８は、上述した反射防止部１９による表示部１１２からの光の低減を補うように表示処理を行うことで、より高画質の画像を表示することができる。
【００６１】
〔第７実施形態〕
図１２は、本発明の第７実施形態に係る表示装置の断面図である。
本実施形態に係る表示装置１ｆは、表示パネル１１ｆ、および表示パネル１２ｆを有する。
表示パネル１１ｆは、基板１１１の、表示面側と対向する面に表示部１１２が形成されている。
表示パネル１２ｆは、基板１２１の、表示面側と対向する面に表示部１２２が形成されている。
【００６２】
また、この際基板１１１，１２１は、光を透過する部材、例えば光を透過するガラス、プラスチック、またはフィルム等の部材により形成されている。
【００６３】
本実施形態の映像信号処理部１８は、表示部１１２，１２２が形成された基板１１１，１２１の透過率に基づいて、表示部１１２，１２２に出力する映像信号の補正処理を行う。
詳細には、本実施形態の映像信号処理部１８は、メモリ１６が記憶する、表示部１１２，１２２が形成された基板１１１，１２１の透過率を示す設定情報に基づいて、表示部１１２，１２２に出力する映像信号の補正処理を行う。
【００６４】
具体的には、映像信号処理部１８は、基板１１１および透過部１２４を介した表示部１１２からの光の輝度と、基板１１１を介した表示部１１２からの光の輝度、または基板１２１を介した表示部１２２からの光の輝度が、略一定となるように表示処理を行う。
【００６５】
こうすることで、表示面側の正面ｈから視認した場合に、表示パネル１１と表示パネル１２および透過部１２４による表示画面の輝度が略一定となり、高画質に表示することができる。
【００６６】
〔第８実施形態〕
図１３は、本発明の第８実施形態に係る表示装置の断面図である。
本実施形態に係る表示装置１ｇは、表示パネル１１ｇ、および表示パネル１２ｇを有する。
【００６７】
表示パネル１１ｇは、基板１１１において、表示部１２２と対向する面に表示部１１２が形成されている。
表示パネル１２ｇは、基板１２１において、表示部１１２と対向する面に表示部１２２が形成されている。
【００６８】
つまり、２つのパネルの表示画面の段差が低減し、基板１１１や基板１２１の厚みによる影響を低減することができる。
【００６９】
また、本実施形態に係る映像信号処理部１８は、表示部１１２からの光の輝度、透過部１２４を介した表示部１１２からの光の輝度、基板１２１を介した表示部１２２からの光の輝度を略一定とするように表示処理を行う。
【００７０】
具体的には、表示パネル１１ｇ，１２ｇで基板１１１，１２１に対して光の方向が異なるため、例えば表示部１１２，１２２のアノードもしくはカソード電極の透過率や基板の透過率、デバイス構造などにより表示パネル１１ｇ，１２ｇは同じ映像信号に対して輝度が異なる場合が生じる。
この場合は、上述したように映像信号処理部１８は、表示パネル１１ｇ，１２ｇの発光効率の差分を、表示部１１２，１２２を信号レベルで補正する。
【００７１】
例えば発光素子を備えた表示部１１２，１２２の場合には、映像信号処理部１８は、同じ映像信号レベルに対して、表示部１１２，１２２内部、例えば画素回路内の発光素子の駆動トランジスタの電圧電流変換効率を、基板１１１，１２１、透過部１２４の透過率に応じた発光輝度で発光させる。
【００７２】
こうすることにより、よりそれぞれの構成要素により構成される表示画面において輝度が略一定となり、表示装置１ｇは、より高画質の画像を表示することができる。
【００７３】
次に、表示パネル１１，１２の重なる領域の大きさを変化させる可動部３０を有する表示装置の一具体例を説明する。
〔第９実施形態〕
図１４は、本発明の第９実施形態に係る表示装置の側面図である。図１４（Ａ）は表示装置の小型化した状態の一具体例を示す側面図である。図１４（Ｂ）は、図１４（Ａ）に示した表示装置の展開中の状態を示す側面図である。図１４（Ｃ）は、図１４（Ａ）に示した表示装置の展開時の装置の側面図である。
【００７４】
可動部３０は、例えば支持部３１、支持部３１を保持する保持部３２を有する。
具体的には、支持部３１は、例えば図１４（Ａ）〜（Ｃ）に示すように、表示パネル１１，１２それぞれに一つもしくは複数の支持部３１１〜３１４が設けられている。
【００７５】
また、保持部３２は、例えば図１４（Ａ）〜（Ｃ）に示すように、表示パネル１１に設けられた支持部３１１、および表示パネル１２に設けられた支持部３１３とを保持する保持部３２１と、表示パネル１１に設けられた支持部３１２、および表示パネル１２に設けられた支持部３１４とを保持する保持部３２２とを有する。
【００７６】
上述した構成により、例えば支持部３１１〜３１４を軸として、保持部３２１，３２２が回動することにより、図１４（Ａ）〜（Ｃ）に示すように、表示パネル１１，１２が平行に移動して小型化状態（コンパクト化）および展開状態となる。
【００７７】
以上、説明したように可動部３０を設けることにより、簡単な構成で表示パネル１１，１２の重なり領域の大きさを変えることができる。
【００７８】
〔第１０実施形態〕
図１５（Ａ）〜（Ｅ）は、本発明の第１０実施形態に係る表示装置の側面図である。
図１５（Ａ）は、表示パネル１１の側面図、図１５（Ｂ）は、表示パネル１２の側面図、図１５（Ｃ）は、中継部の側面図である。図１５（Ｄ）は表示装置の小型化した状態の一具体例を示す側面図である。図１５（Ｅ）は、図１５（Ｄ）に示した表示装置の展開時の側面図である。
【００７９】
本実施形態の表示装置１ｉは、可動部３０として、表示パネル１１，１２を相対的に移動可能に保持する移動保持部３４を備える。
移動保持部３４は、例えば図１５（Ａ），（Ｂ）に示すように、表示パネル１１，１２の側面部に突起部３３を備える。詳細には、図１５（Ａ）に示すように、表示パネル１２の側面部の端部に突起部３３１、側面部の中央部に突起部３３２を設け、図１５（Ｂ）に示すように、表示パネル１１の側面部の中央部に突起部３３３、側面部の端部に突起部３３４を設ける。
【００８０】
また、移動保持部３４は、例えば図１５（Ｃ）に示すように、表示パネル１１，１２の突起部３３に係合する溝部が形成された中継部３４０を有する。
【００８１】
中継部３４０には、例えば図１５（Ｃ）に示すように溝部３４１、および溝部３４２が形成されている。
【００８２】
以上の構成の表示装置１ｉは、例えば図１５（Ｄ）に示すように、小型化（コンパクト化）状態では、溝部３４１に突起部３３１および突起部３３２が係合し、溝部３４２に突起部３３３および突起部３３４が係合する。
そして、図１５（Ｄ），（Ｅ）に示すように、溝部３４１，３４２に沿って、突起部３３１〜３３４が係合した状態でスライドすることにより、２つの表示パネル１１，１２が相対移動（スライド）することにより、小型化（コンパクト化）状態や、展開状態に変形させることができる。
【００８３】
以上、説明したように、表示パネル１１，１２を相対的に移動可能に保持する移動保持部３４を設けたことにより、簡単な構成で表示パネル１１，１２の重なる領域の大きさを変化させることができる。
【００８４】
〔第１１実施形態〕
図１６（Ａ）〜（Ｃ）は、本発明の第１１実施形態に係る表示装置の側面図である。
図１６（Ａ）は、小型化（コンパクト化）時の表示装置の側面図である。図１６（Ｂ）は、図１６（Ａ）に示した表示装置の展開中の状態の側面図、図１６（Ｃ）は、図１６（Ａ）に示した表示装置の展開時の側面図である。
【００８５】
本実施形態に係る表示装置１ｊは、例えば表示パネル１１，１２に設けられ、当該表示パネル１１，１２を回動自在に支持する回転支持部４０を含み、当該回転支持部４０を軸として表示パネル１１，１２を折り畳み可能である。
【００８６】
具体的には、回転支持部４０は、例えば図１６（Ａ）に示すように、表示パネル１１の端部に設けられた支持部４１と、表示パネル１２の端部付近に設けられ、支持部４１と回動自在に係合する連結部４２とを有する。
【００８７】
上述した構成の表示装置１ｊは、例えば図１６（Ａ）に示すように、支持部４１と連結部４２とが係合して表示パネル１１，１２が折り畳まれた状態から、図１６（Ｂ），（Ｃ）に示すように、支持部４１を軸として表示パネル１１，１２を展開することが可能である。また、逆に小型化（コンパクト化）可能である。
【００８８】
以上説明したように、本実施形態では、回動自在に表示パネル１１，１２とを支持する回転支持部４０を設けたので、簡単な構成で表示パネル１１，１２の重なる大きさを変化させることができる。
【００８９】
なお、本発明は本実施形態に限られるものではなく、任意好適な改変が可能である。
例えば、上述した実施形態を組み合わせて実施してもよい。
また、映像信号処理部１８の動作フローは、上述した形態に限られるものではない。
【産業上の利用可能性】
【００９０】
例えば、表示パネル等の複数の表示手段を組み合わせて構成される表示装置に適用できる。
【図面の簡単な説明】
【００９１】
【図１】複数のパネルを有する一般的な表示装置の正面図である。
【図２】本発明の第１実施形態に係る表示装置の正面図である。
【図３】図２に示した表示装置の断面図である。
【図４】本発明の第２実施形態に係る表示装置の電気的な機能ブロック図である。
【図５】本発明の第３実施形態に係る表示装置を小型化（コンパクト化）した状態の断面図である。
【図６】（Ａ）は、図５に示した表示装置の小型化した状態の正面図、（Ｂ）は、図３に示したように展開時の表示装置の正面図である。
【図７】（Ａ）は、図６（Ａ），（Ｂ）に示した表示装置の展開中の状態を示す図である。（Ｂ）は、図６（Ｂ）に示した展開時の表示装置の正面図である。
【図８】本発明の第３実施形態に係る表示装置の動作の一具体例を説明するためのフローチャートである。
【図９】本発明の第４実施形態に係る表示装置を示す正面図である。
【図１０】本発明の第５実施形態に係る表示装置を示す正面図である。
【図１１】本発明の第６実施形態に係る表示装置の断面図である。
【図１２】本発明の第７実施形態に係る表示装置の断面図である。
【図１３】本発明の第８実施形態に係る表示装置の断面図である。
【図１４】本発明の第９実施形態に係る表示装置の側面図である。（Ａ）は表示装置の小型化した状態の一具体例を示す側面図である。（Ｂ）は（Ａ）に示した表示装置の展開中の状態を示す側面図である。（Ｃ）は（Ａ）に示した表示装置の展開時の装置の側面図である。
【図１５】（Ａ）〜（Ｅ）は、本発明の第１０実施形態に係る表示装置の側面図である。（Ａ）は、表示パネル１１の側面図、（Ｂ）は、表示パネルの側面図、（Ｃ）は中継部の側面図である。（Ｄ）は表示装置の小型化した状態の一具体例を示す側面図である。（Ｅ）は（Ｄ）に示した表示装置の展開時の側面図である。
【図１６】（Ａ）〜（Ｃ）は、本発明の第１１実施形態に係る表示装置の側面図である。（Ａ）は、小型化（コンパクト化）時の表示装置の側面図である。（Ｂ）は（Ａ）に示した表示装置の展開中の状態の側面図、（Ｃ）は（Ａ）に示した表示装置の展開時の側面図である。
【符号の説明】
【００９２】
１…表示装置、１１，１２…表示パネル、１５…電源回路、１６…記憶部（メモリ）、１７…位置検出センサ、１８…映像信号処理部（制御部）、１９…反射防止部、３０…可動部、１１１…基板、１１２…表示部、１１３…非表示部、１２１…基板、１２２…表示部、１２３…非表示部、１２４…透過部。
【図１】
2006010811.tif 000003
【図２】
2006010811.tif 000004
【図３】
2006010811.tif 000005
【図４】
2006010811.tif 000006
【図５】
2006010811.tif 000007
【図６】
2006010811.tif 000008
【図７】
2006010811.tif 000009
【図８】
2006010811.tif 000010
【図９】
2006010811.tif 000011
【図１０】
2006010811.tif 000012
【図１１】
2006010811.tif 000013
【図１２】
2006010811.tif 000014
【図１３】
2006010811.tif 000015
【図１４】
2006010811.tif 000016
【図１５】
2006010811.tif 000017
【図１６】
2006010811.tif 000018
【手続補正書】
【提出日】平成17年7月4日(2005.7.4)
【手続補正１】
【補正対象書類名】明細書
【補正対象項目名】００１４
【補正方法】変更
【補正の内容】
【００１４】
表示パネル１１は本発明に係る第１の表示手段の一例に相当し、表示パネル１２は本発明に係る第２の表示手段の一例に相当する。
【手続補正２】
【補正対象書類名】明細書
【補正対象項目名】００２０
【補正方法】変更
【補正の内容】
【００２０】
詳細には、透過部１２４は、表示パネル１１と表示パネル１２とが重なり状態において、表示パネル１１の表示部１１２の重なった領域からの光を、表示パネル１１と対向する面から、他方の対向する面の方向に透過する。
【手続補正３】
【補正対象書類名】明細書
【補正対象項目名】００２３
【補正方法】変更
【補正の内容】
【００２３】
また、表示パネル１１と表示パネル１２は、例えば図２，３に示すように水平方向に並べて配置する。
詳細には、表示パネル１１と表示パネル１２の境界部分ＢＤ付近では、表示部１１２の端部１１２Ｌと表示部１２２の端部１２２Ｌが、例えば図２，３に示すように、表示面側の正面ｈから視認した場合に重なるように配置することが好ましい。こうすることにより、境界部分ＢＤの非表示エリアを低減、さらには非表示エリアをなくすことができる。
【手続補正４】
【補正対象書類名】明細書
【補正対象項目名】００２４
【補正方法】変更
【補正の内容】
【００２４】
以上の構成により、例えば表示パネル１１の表示部１１２の表示面の一部分１１２ａは、表示パネル１２の非表示部１２３と対向する。
表示パネル１１の表示部１１２の表示面の一部分１１２ａから出射される光は、表示パネル１２の非表示部１２３の重ね合った透過部１２４を介して表示面側に出射する。
【手続補正５】
【補正対象書類名】図面
【補正対象項目名】図１５
【補正方法】変更
【補正の内容】
【図１５】
2006010811.tif 000019